(57)【要約】【課題】光ディスクライブラリ装置において、光ディスク装置間の振動伝達を効果的に遮断すること。【解決手段】光ディスクライブラリ装置１は、光ディスク媒体２００にデータの記録再生を行う複数の光ディスク装置１００と、複数の光ディスク装置１００を、各装置ごとにその両端部を防振部材１０２ａ、１０２ｂを介して支持するディスク読取装置部１１と、を備える。防振部材１０２ａ、１０２ｂの光ディスク装置１００に対する取付位置は、光ディスク媒体２００の面内方向（ＸＺ面）であって、光ディスク媒体の脱着方向（Ｘ方向）に対して略直角方向（Ｚ方向）とした。【選択図】図４
2016085776.tif 000002
【特許請求の範囲】
【請求項１】
複数の光ディスク媒体を収納し、該光ディスク媒体にデータを記録して保存する光ディスクライブラリ装置において、
前記光ディスク媒体にデータの記録再生を行う複数の光ディスク装置と、
該複数の光ディスク装置を、各装置ごとにその両端部を防振部材を介して支持するディスク読取装置部と、を備え、
前記防振部材の前記光ディスク装置に対する取付位置は、前記光ディスク媒体の面内方向であって、該光ディスク媒体の脱着方向に対して略直角方向としたことを特徴とする光ディスクライブラリ装置。
【請求項２】
請求項１に記載の光ディスクライブラリ装置において、
前記防振部材は、前記光ディスク装置の両端部に設けた突起部に勘合して位置決めされることを特徴とする光ディスクライブラリ装置。
【請求項３】
請求項１に記載の光ディスクライブラリ装置において、
前記防振部材は、前記ディスク読取装置部に設けた凹部にて位置決めされることを特徴とする光ディスクライブラリ装置。
【請求項４】
請求項１ないし３のいずれかに記載の光ディスクライブラリ装置において、
前記光ディスク装置の同一端部に配置される複数の前記防振部材は、共通の位置決め部材により連結された状態で前記光ディスク装置に取り付けられることを特徴とする光ディスクライブラリ装置。
【請求項５】
光ディスクライブラリ装置に搭載され、光ディスク媒体にデータの記録再生を行う光ディスク装置において、
前記光ディスクライブラリ装置のディスク読取装置部には、当該光ディスク装置の両端部に取り付けた防振部材を介して載置される構成とし、
前記防振部材の当該光ディスク装置に対する取付位置は、前記光ディスク媒体の面内方向であって、該光ディスク媒体の脱着方向に対して略直角方向としたことを特徴とする光ディスク装置。
【請求項６】
光ディスクライブラリ装置における光ディスク装置の搭載方法において、
前記光ディスク装置に対し、光ディスク媒体の面内方向であって、該光ディスク媒体の脱着方向に対して略直角方向の両端面に防振部材を取り付ける工程と、
該防振部材を取り付けた光ディスク装置を、該防振部材を介して前記光ディスクライブラリ装置のディスク読取装置部に搭載する工程とを備え、
前記光ディスク装置に防振部材を取り付ける工程では、前記光ディスク装置の同一端部に配置される複数の前記防振部材を、共通の位置決め部材により連結した状態で前記光ディスク装置に取り付けることを特徴とする光ディスク装置の搭載方法。
【発明の詳細な説明】
【技術分野】
【０００１】
本発明は、複数の光ディスク媒体を収納し、これらに複数の光ディスク装置でデータの記録再生を行う光ディスクライブラリ装置に関する。
【背景技術】
【０００２】
光ディスクライブラリ装置は、データセンタで処理する膨大なデータ、図書館や放送局などでアーカイビングする映像や文書などを、複数の光ディスク媒体に記録して保存する装置である。光ディスク媒体には、特に大容量の記録が可能なブルーレイディスク（登録商標）が用いられる。
【０００３】
また光ディスクライブラリ装置は、複数の光ディスク媒体を有し大きな記憶容量が得られるので、データサーバ用途などの記憶装置として用いられる。データサーバ用途では高度な動作信頼性が求められ、その１つとして、外乱振動に対する耐振性能の問題がある。光ディスク装置に外乱振動が入力すると、装置内の光ピックアップへ振動が伝達し、記録再生動作が不安定になり記録再生データの品質を低下させる恐れがある。
【０００４】
この問題に関し特許文献１では、記録再生装置（光ディスク装置）への外乱振動を低減させるために、記録再生装置を内部に収納したベース筐体と、このベース筐体を覆う外装筐体との間に、防振部材を配置した構成が開示されている。
【先行技術文献】
【特許文献】
【０００５】
【特許文献１】特開平７−５７４４９号公報
【発明の概要】
【発明が解決しようとする課題】
【０００６】
特許文献１では、１台の記録再生装置（光ディスク装置）とその駆動電源をベース筐体に収納し、これを防振部材を介して外装筐体に取り付けた構成である。そして、この構成によれば、外乱振動が外装筐体に加わってもベース筐体上の記録再生装置への衝撃伝達が低減されると述べている。
【０００７】
しかしながら、光ディスクライブラリ装置のように、複数の光ディスク装置を搭載する構成の場合には、光ディスク装置自身で発生する振動が他の光ディスク装置に伝達して、動作を不安定にする問題がある。例えば、光ディスク装置における光ディスク媒体の脱着動作や記録再生動作で発生する振動が、他の光ディスク装置に伝達して、光ディスク媒体と光ピックアップの相対位置の変動を引き起こす。その際、発生する振動の大きさは、個々の光ディスク装置や光ディスク媒体の特性が異なるため一様ではない。その結果、各光ディスク装置の記録再生動作に影響し、所望の品質の記録再生データを得ることができない場合が生じる。
【０００８】
以上から、光ディスクライブラリ装置においては、外部振動はもとより、内部振動による光ディスク装置間の振動伝達や干渉を抑えることが必要となる。上記特許文献１では１台の光ディスク装置から構成された場合であり、光ディスク装置間の振動伝達の問題については考慮されていない。
【０００９】
本発明の目的は、光ディスク装置間の振動伝達を効果的に遮断する光ディスクライブラリ装置および光ディスク装置を提供することである。
【課題を解決するための手段】
【００１０】
本発明の光ディスクライブラリ装置は、光ディスク媒体にデータの記録再生を行う複数の光ディスク装置と、複数の光ディスク装置を、各装置ごとにその両端部を防振部材を介して支持するディスク読取装置部と、を備え、防振部材の光ディスク装置に対する取付位置は、光ディスク媒体の面内方向であって、光ディスク媒体の脱着方向に対して略直角方向としたことを特徴とする。
【００１１】
また本発明は、光ディスクライブラリ装置に搭載され、光ディスク媒体にデータの記録再生を行う光ディスク装置であって、光ディスクライブラリ装置のディスク読取装置部には、光ディスク装置の両端部に取り付けた防振部材を介して載置される構成とし、防振部材の光ディスク装置に対する取付位置は、光ディスク媒体の面内方向であって、光ディスク媒体の脱着方向に対して略直角方向としたことを特徴とする。
【発明の効果】
【００１２】
本発明によれば、外部振動だけでなく、光ディスク装置間の振動伝達を効果的に遮断することができる。これにより、記録再生データの品質が安定し、高信頼性の光ディスクライブラリ装置を提供できる。
【図面の簡単な説明】
【００１３】
【図１】光ディスクライブラリ装置の全体構成を示す図（実施例１）。
【図２】ディスク読取装置部とデータ処理部の構成を示す図。
【図３】光ディスク装置への光ディスク媒体の脱着説明図。
【図４】ディスク読取装置部の分解図。
【図５】防振部材の取付詳細図。
【図６】光ディスク装置の振動特性を示す特性図。
【図７】光ディスク装置への防振部材の取付方法を示す図（実施例２）。
【発明を実施するための形態】
【００１４】
以下本発明の実施形態を図面を用いて説明する。以下の説明では、図面に記述したＸ，Ｙ，Ｚ軸を用いて方向を表現する。なお、Ｚ軸は重力方向である。
【実施例１】
【００１５】
図１は、光ディスクライブラリ装置の全体構成を示す図である。光ディスクライブラリ装置（以下、ライブラリ装置）１は、ディスク読取装置部１１とデータ処理部１２を一体化させたモジュール１０、ブルーレイディスクなどの複数の光ディスク媒体（以下、ディスク）２００を収納する光ディスク媒体収納部（以下、ディスク収納部）２０、ディスク２００を搬送する光ディスク媒体搬送部（以下、ディスク搬送部）３０を備える。ディスク読取装置部１１は、ディスク２００に対し記録再生動作を行う複数の光ディスク装置１００をＹ方向に並べて載置しており、データ処理部１２は光ディスク装置１００における記録再生データを処理する。モジュール１０は、ライブラリ装置１から取り外し可能な構成となっている。ライブラリ装置１のデータ処理部１２は外部の中央指令装置４０と接続され、図示しないインターフェイスを介して指令信号やデータの授受を行う。
【００１６】
図２は、ディスク読取装置部とデータ処理部の構成を示す図である。ディスク読取装置部１１とデータ処理部１２は、モジュール１０として一体化させた構成とし、整備性を向上させている。ディスク読取装置部１１は、複数の光ディスク装置１００を、ディスクの面（ＸＺ面）に直交するＹ方向に並べて配置している。複数の光ディスク装置１００は、ディスク読取装置部１１のベース１３上に載置し、光ディスク装置１００の上端部はディスク読取装置部１１の支持部材１４にて支持する。すなわち、各光ディスク装置１００を上下方向（Ｚ方向）に支持している。データ処理部１２は、各光ディスク装置１００における記録再生データを処理する中央処理装置（ＣＰＵ）を有し、処理部で発生する熱を放出するため冷却用部材を設けている。
【００１７】
ここで、光ディスクライブラリ装置１の動作を説明する。中央指令装置４０よりデータの記録または再生の指令を受けると、ライブラリ装置１は、光ディスク装置１００にディスクが装着されているかどうかを確認する。装着されていなければ、ディスク搬送部３０に対して指定されたディスク２００を搬送するよう指示する。ディスク搬送部３０は、ディスク収納部２０に収納されている指定されたディスク２００の位置まで搬送器３１を移動し、指定のディスク２００を取り出す。そして搬送器３１は、光ディスク装置１００の位置まで移動し、図示しないディスク排出機構によって、搬送したディスク２００を光ディスク装置１００に挿入する。
【００１８】
一方、光ディスク装置１００に他のディスクが装着されているときは、ディスク搬送部３０に対して指定されたディスク２００と交換するよう指示する。ディスク搬送部３０は、搬送器３１を光ディスク装置１００の位置に移動し、装着されているディスク２００を取り出して、ディスク収納部２０に搬送して元の位置に収納する。続いてディスク搬送部３０は、上記と同様に、搬送器３１を指定されたディスク２００の位置まで移動し、ディスク収納部２０から指定のディスク２００を取り出す。そして搬送器３１は、光ディスク装置１００まで移動し、搬送したディスク２００を光ディスク装置１００に挿入する。
【００１９】
図３は、光ディスク装置への光ディスク媒体の脱着説明図である。光ディスク装置１００にはディスク２００の挿入／排出機構１１０を備えており、ディスク搬送部３０の搬送器３１から受け取ったディスク２００を、光ディスク装置１００にＸ方向に挿入する。また、挿入／排出機構１１０により、ディスク２００をＸ方向に排出して搬送器３１へ送り出す。光ディスク装置１００に装着されたディスク２００は、光ピックアップ１２０によってデータの記録または再生動作を行う。記録および再生データは、ライブラリ装置１と中央指令装置４０との間でデータの授受を行う。
【００２０】
この一連の動作は、複数の光ディスク装置１００で独立に実行可能である。すなわち、ある光ディスク装置でディスクへの記録再生を行いつつ、ある光ディスク装置でディスクの脱着動作を行うことが、同時に存在できる。これにより、大量のデータを効率的に記録再生することができる。
【００２１】
本実施例では、光ディスク装置１００を、各装置ごとにＺ方向の両端部を防振部材を介してディスク読取装置部１１に載置したこと、かつ、防振部材の光ディスク装置１００への取付位置は、ディスク２００の面内方向（ＸＺ面方向）であって、ディスク２００の脱着方向（Ｘ方向）に対して略直角方向（Ｚ方向）としたことを特徴とする。以下、これについて説明する。
【００２２】
図４は、ディスク読取装置部１１の分解図である。複数の光ディスク装置１００は、それぞれ上下に配した防振部材１０２ａ、１０２ｂを介し、ディスク読取装置部１１の構成部材であるベース１３および支持部材１４に取り付けられる。上下の防振部材１０２ａ、１０２ｂは、光ディスク装置１００の上下端部に設けた突起部１０１ａ、１０１ｂにて位置決めされる。よって、防振部材１０２ａ、１０２ｂの光ディスク装置１００に対する取付位置、すなわち、光ディスク装置１００のディスク読取装置部１１への取付方向はＺ方向で、ディスク２００の面内方向となる。また、光ディスク装置１００へのディスク２００の脱着方向（Ｘ方向）に対して略直角方向とする。図４では、防振部材１０２ａ、１０２ｂの数は、１台の光ディスク装置１００につき上下各２個使用したが、これに限るものではなく、また上下で異なる数としても良い。
【００２３】
図５は、防振部材の取付詳細図である。防振部材１０２ａ、１０２ｂは略円筒状とし、その中空部分に光ディスク装置１００の突起部１０１ａ、１０１ｂを勘合して位置決めする。また、防振部材１０２ａ、１０２ｂの外周は、ディスク読取装置部１１のベース１３および支持部材１４に設けた凹部１３ａ、１４ａにて位置決めする。すなわち、光ディスク装置１００とディスク読取装置部１１とは直接接触せず、防振部材１０２ａ、１０２ｂを介して支持する構造とする。
【００２４】
この構成により、光ディスク装置間での振動伝達は、防振部材１０２ａ、１０２ｂにより遮断されるので、振動が互いに伝達し干渉することがなくなる。また、防振部材１０２ａ、１０２ｂの取り付け位置は、ディスク２００の面内方向（ＸＺ面方向）としたので、光ディスク装置で特に発生しやすい面内方向（ＸＺ面方向）の振動成分を効果的に抑制することができる。
【００２５】
ここで、本構成による振動抑制効果を説明する。本構成の光ディスク装置１００は、防振部材１０２ａ、１０２ｂを付加することで、光ディスク装置１００を質量、防振部材１０２ａ、１０２ｂをバネおよび減衰器とする２次振動系を構成する。また、ディスク２００への記録再生品質を決める光ディスク装置１００内の光ピックアップ１２０の振動系の特性も、２次振動系である。
【００２６】
図６は、光ディスク装置の振動特性を示す特性図である。モジュール１０の振幅をＡ、光ディスク装置１００の振幅をＢとし、その比を振動振幅倍率Ｂ／Ａとする。この場合の振動方向は上下方向（Ｚ方向）とする。振動振幅倍率Ｂ／Ａは、モジュール１０から光ディスク装置１００に伝達する振動が、防振部材１０２ａ、１０２ｂによりいかに減衰（または増加）するかを表している。横軸に周波数をとると、振動振幅倍率Ｂ／Ａは共振周波数ｆｏで増加（ピーク）となり、その後周波数とともに減衰し、共振周波数ｆｏの√２倍以上で振動減衰領域（Ｂ／Ａ＜０ｄＢ）となる。
【００２７】
光ピックアップ１２０の制御特性を考慮すると、振動減衰領域は概ね１００Ｈｚ以上の領域とすればよい。すなわち、共振周波数ｆｏは約７０Ｈｚ（＝１００Ｈｚ／√２）、また共振周波数ｆｏにおける振動振幅限界は６ｄＢ以下となるよう設定すればよい。共振周波数ｆｏは、光ディスク装置１００の重量と防振部材１０２ａ、１０２ｂの剛性や減衰特性の組み合わせで決まる。その際、バネ剛性は防振部材１０２ａ、１０２ｂの形状、あるいは個数で決定する。減衰特性に関しては、防振部材１０２ａ、１０２ｂの材料を適宜選択する。適切な材料としては、ブチルゴム、天然ゴム、フッ素ゴムなどのゴム系がよい。このようにして、光ディスク装置１００に取り付ける最適な防振部材１０２ａ、１０２ｂの仕様を決定することができる。
【００２８】
実施例１の構成によれば、光ディスク装置はそれぞれ防振部材を介してディスク読取装置部に取り付けられているので、外部振動だけでなく、複数の光ディスク装置の間の振動の伝達を遮断することができる。すなわち、ディスクの記録再生動作を行っている第１の光ディスク装置と、ディスクの脱着動作を行っている第２の光ディスク装置が存在するとき、特に第２の光ディスク装置から第１の光ディスク装置へディスクの脱着動作に伴う振動の伝達を遮断することができる。これによって、第１の光ディスク装置におけるディスクへのデータの誤記録、誤再生の発生を抑制し、記録再生データの高い信頼性を確保することができる。
【００２９】
これに加えて、光ディスク装置のディスク読取装置部への取付方向をディスクの脱着方向に対し略直角方向としたので、光ディスク装置のメンテナンス作業が容易になる。例えば、ある光ディスク装置が破損したときに行う光ディスク装置の交換作業は、光ディスク装置を上部方向に引き抜いて入れ替えることが容易となり、作業性が大幅に改善する効果がある。
【実施例２】
【００３０】
実施例２では、光ディスク装置への防振部材の取付作業において、作業性を向上させる組立法について説明する。
図７は、光ディスク装置への防振部材の取付方法を示す図である。この方法では、初めに防振部材１０２ａ、１０２ｂを防振部材位置決め部材（以下、位置決め部材）１０５ａ、１０５ｂと勘合し、防振部材が連結された状態で、光ディスク装置１００に取り付けるようにした。その組立工程は次の通りである。
【００３１】
（１）防振部材１０２ａ、１０２ｂの外周面には勘合凹部１０３ａ、１０３ｂが形成されている。上端部で用いる複数の防振部材１０２ａは、共通の位置決め部材１０５ａに勘合する。また、下端部で用いる複数の防振部材１０２ｂは、共通の位置決め部材１０５ｂに勘合する。なお、位置決め部材１０５ａ、１０５ｂには、防振部材１０２ａ、１０２ｂを位置決めするための複数の穴を設けておく。これにより、上端部の複数の防振部材１０２ａ、下端部の複数の防振部材１０２ｂを、それぞれ連結された状態とする。
【００３２】
（２）防振部材１０２ｂを連結した下側の位置決め部材１０５ｂを、ディスク読取装置部１１のベース１３の凹部１３ｂへ装着する。凹部１３ｂの幅は防振部材１０２ｂの間隔に合わせて形成する。
（３）光ディスク装置１００の下側の突起部１０１ｂを、下側の位置決め部材１０５ｂの防振部材１０２ｂに嵌め合わせる。
【００３３】
（４）上側の位置決め部材１０５ａで連結された防振部材１０２ａを、光ディスク装置１００の上側の突起部１０１ａに嵌め合わせる。これで、防振部材１０２ａ、１０２ｂの取付を完了する。
なお、上記（２）〜（４）の工程は、順序を入れ替えてもよい。
【００３４】
実施例２では、実施例１で述べた効果の他に、防振部材位置決め部材１０５ａ、１０５ｂを用いることで、複数の防振部材を連結させて一体的に取り扱うことができ、組立作業性が向上する効果がある。また、光ディスク装置をライブラリ装置から外して単体で取り扱う際には、光ディスク装置から位置決め部材１０５ａ、１０５ｂを取り外して作業する。これにより、作業中に誤って光ディスク装置から防振部材を脱落させる恐れもなくなる。
【符号の説明】
【００３５】
１：光ディスクライブラリ装置（ライブラリ装置）、
１０：モジュール、
１１：ディスク読取装置部、
１２：データ処理部、
１３：ベース、
１３ａ，１３ｂ：ベースの凹部、
１４：支持部材、
１４ａ：支持部材の凹部、
２０：光ディスク媒体収納部（ディスク収納部）、
３０：光ディスク媒体搬送部（ディスク搬送部）、
３１：搬送器、
４０：中央指令装置
１００：光ディスク装置、
１０１ａ，１０１ｂ：突起部、
１０２ａ，１０２ｂ：防振部材、
１０３ａ，１０３ｂ：勘合凹部、
１０５ａ，１０５ｂ：防振部材位置決め部材（位置決め部材）、
１１０：挿入／排出機構、
１２０：光ピックアップ、
２００：光ディスク媒体（ディスク）。
【図１】
2016085776.tif 000003
【図２】
2016085776.tif 000004
【図３】
2016085776.tif 000005
【図４】
2016085776.tif 000006
【図５】
2016085776.tif 000007
【図６】
2016085776.tif 000008
【図７】
2016085776.tif 000009